(57)【要約】【課題】素早く数値設定できる操作パネル構造を有し、出力波形がパルス電流であっても並列運転で増設可能なメッキ用電源装置を提供する。【解決手段】メッキ電流が直流または指定波形を出力する電源装置において、出力ＯＮ・ＯＦＦキー領域、各種モード選択キー領域、数値設定用のジョグダイヤルと数値ディスプレーからなる数値設定領域、の三つの領域が機能別に区分され、操作位置的には関連付けて接近した配置で形成され、パルス立ち上がり信号同期手段を第１と第２の各ＰＷＭ信号発生器に接続して、並列接続の電源出力パルスの立ち上がりタイミングを同期させたメッキ用電源装置。【選択図】  図１
2006312758.tif 000002
【特許請求の範囲】
【請求項１】
定電流制御と定電圧制御とを切替えてメッキ電流を出力し、指定された電流波形を出力する電源装置において、ＯＮ・ＯＦＦキー領域、各種モード選択キー領域、数値設定用の回転式エンコーダと数値ディスプレーからなる数値設定領域、の三つの領域が機能別に区分されて、操作位置的には接近して形成され、設定作業速度を向上させた事を特徴とする操作パネル構造を有するメッキ用電源装置。
【請求項２】
前記回転式エンコーダは、回転操作とプッシュ操作との２方向操作に対応した設定値が出力できるジョグダイヤルで形成されており、プッシュ操作で数値桁変更を、回転操作で数字変更をさせる片手操作が可能で且つ素早い操作速度が得られる回転式エンコーダである、請求項１記載の操作パネル構造を有する請求項１記載のメッキ用電源装置。
【請求項３】
前記各種モード選択キー領域は、少なくとも波形モード選択キー、ＣＣ（定電流）／ＣＶ（定電圧）モード選択キー、の領域を具備したモード選択キー領域である操作パネル構造を有する請求項１又は２記載のメッキ用電源装置。
【請求項４】
第１の整流回路と第１の高周波インバータと第１のＰＷＭ信号発生器とを具備し、定電流制御と定電圧制御とを切替えてメッキ電流を出力し、指定された電流波形を出力する第１の電源装置、及び、第２の整流回路と第２の高周波インバータと第２のＰＷＭ信号発生器とを具備し、定電流制御と定電圧制御とを切替えてメッキ電流を出力し、指定された電流波形を出力する第２の電源装置が並列接続される、メッキ用電源装置において、立ち上がり信号同期手段を第１のＰＷＭ信号発生器と第２のＰＷＭ信号発生器接続したことによって並列接続のメッキ用電源装置出力パルスの立ち上がりタイミングを同期させた事を特徴とする請求項１乃至３記載のメッキ用電源装置。
【発明の詳細な説明】
【技術分野】
【０００１】
本発明は，メッキ用電源装置の出力パルス波形の改善と操作性向上に関する。
【背景技術】
【０００２】
この関連技術を開示した文献として下記の特許文献１の（段落００２１）に「図２には電気メッキ用の電源装置のパネル表示部３０及び入力キーを示す・・・」「４１はデータ設定を行う場合に目的の数字に合わせるＵＰ・ＤＯＷＮボタンを、４２は該ＵＰ・ＤＯＷＮボタンの速度を早める高速ボタンを示す。そして、４３は出力電流を、４４は出力電圧を示す」と記載されていて図２に表面パネル内の配置図が示されている。（特許文献１の図２は本明細書の文中では図５と付与した）
【０００３】
操作パネルの従来例を図５に平面図で示す。ここに表示部３０及び入力キー３４〜４２を示す。この設定作業で、目的の数字に合わせるときの動作には、もっと速い設定にならないかとの課題があった。例えば４６.２０アンペアで定電流制御させるならば、設定したい数字をＵＰ・ＤＯＷＮボタン４１で「４６.２０」の各桁に数字を表示部に表示させながらセットする。ＵＰボタン４１を押して数字を上げて行き希望する数字が通過したら、すぐに引き返すようにＤＯＷＮボタンで数字を降ろしていく。高速ボタン４２で数字の早い変化をさせるようにしてある。従来の操作パネルでは、このようにパネルに押ボタンが配置されていた。
【０００４】
従来の操作パネルでは、３４は段替えボタン、３５はスタート／ストップ、３６は設定、３７は編集、３８は書込みボタン、３９は機能ボタン、４０はリセットボタンである。以上の操作ボタンで操作したときに、パネル表示部３０に例えば液晶表示で表示される。埃をかぶって見え難くなるパネル表示部３０は、とくに視認性が要求されていた。
【０００５】
【特許文献１】「特開平５−４４０９９号」公報，「電気めっき用の電源装置」
【発明の開示】
【発明が解決しようとする課題】
【０００６】
近年、メッキ精度が要求される多くの種類の被メッキ物に対して、それぞれ最適値に波形や電流値を調整する必要があり、もし電流値などの数値設定ミスがあったときは、メッキ品質目標から遠くかけ離れた仕上がり品となり、多額の損失が発生していたので、数値設定ミスがなく、速く設定操作できる構造の、操作性に優れた操作パネル構成の要望が高まってきた。また、メッキ現場で電流値増強の必要が生じた場合、大電流メッキ用電源装置と入れ替え設置するより安価に設備導入するために、並列運転で必要な電流値まで増強する選択肢がある。並列運転時の出力波形としてパルス波形が要求されたときは、出力のパルス電流の立ち上がりが同期しないで並列運転したときには合成波形が立ち上がりの崩れた波形となってくる。このために並列運転用として最適の標準的な電源装置を供給側で準備することが設備要求者への即応性を含めて重要課題であった。
【０００７】
制御したい数値を設定する操作については、以上のような従来の欠点を排除し、数値設定誤りを発生させない操作パネル構造を提供する事が本発明の目的である。加えて、出力波形がパルス波である並列運転方式で増設することが可能な電源装置を提供できるようにする事が本発明の付随的な課題である。
【課題を解決するための手段】
【０００８】
操作パネル構造に関しては、定電流制御と定電圧制御とを切替えてメッキ電流を出力し、指定された直流または電流波形を出力する電源装置において、出力ＯＮ・ＯＦＦキー領域、各種モード選択キー領域、数値設定用の回転式エンコーダと数値ディスプレーからなる数値設定領域、の三つの領域が機能別に区分して設置されて、しかも操作位置としては関連付けて接近した配置となるよう形成され、設定作業の速度が向上可能なことを特徴とする操作パネル構造を有するメッキ用電源装置とした。
【０００９】
請求項２に関しては、前記回転式エンコーダは、回転操作とプッシュ操作との２方向操作に対応した設定値が出力できるジョグダイヤルで形成され、プッシュ操作で数値の桁変更を指定し、回転操作で数字変更をさせる片手操作が可能で、素早い操作速度が得られる回転式エンコーダである操作パネル構造を有する、メッキ用電源装置とした。
【００１０】
請求項３に関しては,前記各種モード選択キー領域は、少なくとも、波形モード選択キー、ＣＣ（定電流）／ＣＶ（定電圧）モード選択キー、の領域を具備したモード選択キー領域である、メッキ用電源装置の操作パネルを有するメッキ用電源装置とした。
【００１１】
請求項４に関しては、第１の整流回路と第１の高周波インバータと第１のＰＷＭ信号発生器とを具備し、定電流制御と定電圧制御とを切替えてメッキ電流を出力し、指定された電流波形を出力する第１の電源装置、と、第２の整流回路と第２の高周波インバータと第２のＰＷＭ信号発生器とを具備し、定電流制御と定電圧制御とを切替えてメッキ電流を出力し、指定された電流波形を出力する第２の電源装置とが、並列接続される、メッキ用電源装置において、立ち上がり信号同期手段を第１のＰＷＭ信号発生器と第２のＰＷＭ信号発生器に接続したことによって並列接続のメッキ用電源装置出力パルスの立ち上がりタイミングを同期させたメッキ用電源装置とした。
【００１２】
高周波インバータをＰＷＭ制御で定電圧制御や、定電流制御させて軽量小型の高周波トランスを用いてメッキに適した電圧まで降圧するインバータとする事は電力変換効率の高い、内部ロスが少ない電源装置が実現できて装置の材料コスト削減、資源の縮減など環境に寄与できる工業的価値を高める為に有効である。上記ＰＷＭ制御の信号の立ち上がりを同期させることによって並列運転される複数台のメッキ用電源装置の出力パルスが同期できるので、並列運転間に循環電流が流れるような内部ロスの原因を未然に削除している。
【発明の効果】
【００１３】
操作性の良い操作パネル構造の提供は使用者の設定ミス防止に役立ち、不良メッキの防止で、メッキの生産コストを抑えることに貢献し、内部ロスが削減された並列運転される複数台の電源装置とすることはコスト縮減の効果があるので工業的価値が高い。
【発明を実施するための最良の形態】
【００１４】
図１に操作パネル構造の本発明による実施の形態を示し，これと同じ目的の従来の表面パネルの配置図を図５に示して比較しながら説明する。図１において数字表示部３００は４桁表示のＬＥＤであり、上段、下段ともにＡとＶとを切替えて表示できる。４桁表示のＬＥＤの近傍に回転式エンコーダ（ジョグダイヤル）４１０を配置する、回転式エンコーダは、回転操作とプッシュ操作との２方向操作に対応した設定値が出力できるジョグダイヤルであり、プッシュ操作で数値の桁変更を指定し、回転操作で数字変更をさせる片手操作が可能で、素早い操作速度が得られる。ジョグダイヤルとしては、例えば特許文献２に開示された構造のものである。
【特許文献２】「特開平６−１７８３７１号」公報，「ジョグエンコーダ」
【００１５】
数字表示部３００の４桁表示のＬＥＤの近傍に、表示単位ランプ３０１が配置されていてＡ（アンペア）、％、Ｈ（時間）、Ｍ（分）、Ｓ（秒）などの文字がランプで浮き出るようにバックライトが仕組まれメンブレンスイッチで操作するように形成されているから数値設定ミスが排除できて、速い設定が可能となった。以上の操作・表示部位を、数値設定領域の枠でリセットキー４００と共に囲んだので操作性が一層向上した。
【００１６】
以上の数値設定領域に近接して、運転モード選択キー５１０、波形モード選択キー５２０、ＣＣ（定電流）／ＣＶ（定電圧）モード選択キー５３０、を具備したモード選択キー領域を配置して、セットキー３６０、クリアキー３７０と共に囲み領域とした。
表示モード選択キー５４０、本体／リモート選択キー５５０も各種モード選択キー領域に囲まれて配置されるのが有効である。
【００１７】
運転モードにはノーマル、メモリー、パターン運転、などを選択キーで選び、表示ランプと共に配置されている。独立した領域に出力ＯＮ.ＯＦＦキー３５０が表示ランプと共に配置されている。出力ＯＮ・ＯＦＦキー領域、各種モード選択キー領域、数値設定用の回転式エンコーダと数値ディスプレーからなる数値設定領域、の三つの領域が機能別に区分し設置されて、しかも、操作位置的には関連付けて接近した配置となるよう形成され、設定作業の速度が向上した。回転式エンコーダはジョグダイヤルであり片手操作が可能で、素早い操作速度が得られる構成にしたので下記のＵＰ・ＤＯＷＮボタンで数字を設定するのに比べ誤操作を未然に排除する効果がある。
【００１８】
操作パネルの従来例を図５に平面図で示す。ここに表示部３０及び入力キー３４〜４４を示す。４１はデータ設定を行う場合の数字に合わせるＵＰ・ＤＯＷＮボタン、該ＵＰ・ＤＯＷＮボタンの速度を早める高速ボタン４２。ＵＰボタン４１を押して数字を上げて行き希望する数字が通過したら、すぐに引き返すように４１のＤＯＷＮボタンで数字を降ろしていく。高速ボタン４２で数字の早い変化をさせるようにしてある。このように、従来の操作パネルでは、パネルに押ボタンが配置されていた。３４は段替えボタン、３５はスタート／ストップ、３６は設定、３７は編集、３８は書込みボタン、３９は機能ボタン、４０はリセットボタンであり、操作の誤りや設定の速度不満に課題があったが、これらの課題を本発明は解消した。
【００１９】
メッキ作業の現場に設置されたこのような電源装置では、埃をかぶって見え難くなる表示部は、とくに視認性が要求されるので、図１に示した操作部の表示と機能領域を明確にした操作パネルによる、操作スピード向上はメッキ事業経営に於いて重要な要素であり、本発明の作業場への貢献度は大きい。
【００２０】
図２の本発明による一実施の形態を示す回路図において、商用電源１に接続された第１の電源装置７１は第１の整流回路２１と第１の高周波インバータ３１と第１のＰＷＭ信号発生器６１とを具備し、定電流制御と定電圧制御とに切替えてメッキ電流を出力端子１００から出力する、４は高周波トランス、５は出力整流回路である。出力波形を記憶させ出力させるＣＰＵを具備した操作パネル９が制御回路８に接続されている。図３の（ａ）、（ｂ）、（ｃ）、（ｄ）に示した指定された電流波形を出力する第１の電源装置７１、と、第２の整流回路２２と第２の高周波インバータ３２と第２のＰＷＭ信号発生器６２とを具備し、定電流制御と定電圧制御とに切替えてメッキ電流を出力し、指定された電流波形を出力端子１００から出力する第２の電源装置７２とが並列接続されている。第２の電源装置７２も図３（ａ）、（ｂ）、（ｃ）、（ｄ）に示したメモリにある指定された電流波形を出力する。ここで図３は本発明による一実施の形態を示す波形図である。
【００２１】
以上のメッキ用電源装置において、立ち上がり信号同期手段６を第１のＰＷＭ信号発生器６１と第２のＰＷＭ信号発生器６２に接続したことによって並列接続のメッキ用電源装置出力パルスの立ち上がりタイミングを同期させたメッキ用電源装置とした。図４の原理説明図に出力パルス電流を示すように、図４（ａ）ではパルスの立ち上がりタイミングが１台目と２台目の電源装置において、ズレがランダムに発生しているが、図４（ｂ）ではパルス立ち上がりのズレは０.１ミリ秒以下になるように同期して出力する。このように並列接続の電源装置２台の出力がタイミングを合わせて立ち上がるようにしたのでメッキ電流にパルスの波形崩れがない。ズレが大きくなると出力電流波形の並列合成波は、立ち上がりと立ち下がりにおいて階段状の波形になる。
【００２２】
高周波インバータをＰＷＭ制御で定電圧制御や、定電流制御させて軽量小型の高周波トランス４を用いてメッキに適した電圧まで降圧するインバータ３１、３２、とする事は電力変換効率の高い電源装置が実現できて装置の材料コスト削減、資源の縮減など地球環境保護に寄与できる工業的価値を高める為に有効である。
【００２３】
上記ＰＷＭ制御の信号の立ち上がりを同期させることによって並列運転される複数台のメッキ用電源装置の出力パルスが同期できるので、並列運転間に循環電流が流れるような内部ロスの原因を未然に削除している。
【産業上の利用可能性】
【００２４】
メッキ品質の向上は事業者に重要な要素であり、メッキ電流にパルスの波形崩れがない、操作性に優れた本装置による貢献度は高く、産業的価値が大きい。
【図面の簡単な説明】
【００２５】
【図１】本発明による一実施の形態を示す平面図である。
【図２】本発明による一実施の形態を示す回路図である。
【図３】本発明による一実施の形態を示す波形図である。
【図４】本発明による一実施の形態を示す原理説明図である。
【図５】従来の電源の表面パネルの配置図（特許文献１の図２）
【符号の説明】
【００２６】
６    立ち上がり信号同期手段
２１    第１の入力整流回路
３１    第１の高周波インバータ
７１    第１の電源装置
７２    第２の電源装置
３０    パネル表示部
３３    出力スイッチ
３４    段替えボタン
３５    スタート／ストップボタン
３６    設定ボタン
３７    編集ボタン
３８    書込みボタン
３９    機能ボタン
４０    リセットキー
４１    アップダウンキー
４２    高速ボタン
４３    表示部
４４    表示部
３００    数字表示部
３０１    単位表示ランプ
３５０    出力ＯＮ・ＯＦＦキー
３６０    セットキー
３７０    クリアキー
４００    リセットキー
４１０    ジョグダイヤル（回転エンコーダ）
５１０    運転モード選択キー
５２０    波形モード選択キー
５３０    ＣＣ／ＣＶ選択キー
５４０    表示モード選択キー
５５０    本体／リモート選択キー
【図１】
2006312758.tif 000003
【図２】
2006312758.tif 000004
【図３】
2006312758.tif 000005
【図４】
2006312758.tif 000006
【図５】
2006312758.tif 000007